(57)【要約】【課題】基板表面に付着したパーティクル等の汚染物質を除去するための基板洗浄方法および基板洗浄装置において、高いスループットを得られ、しかもパーティクル等を効果的に除去することのできる技術を提供する。【解決手段】基板の上面に液膜を形成し（ステップＳ１０１）、凍結ガスとして例えば低温の窒素ガスを吐出する凍結用ノズルをスキャンして液膜を凍結させた後（ステップＳ１０２，Ｓ１０３）、凍結ガスよりも冷却能力の高い流体、例えば凍結ガスよりさらに低温の窒素ガスを吐出する冷却用ノズルをスキャンして凍結した液膜をさらに低温まで冷却する（ステップＳ１０４，Ｓ１０５）。その後、リンス処理により凍結膜とともにパーティクルを除去し（ステップＳ１０７）、基板を乾燥させる（ステップＳ１０８）。【選択図】図４
2011198894.tif 000002
【特許請求の範囲】
【請求項１】
略水平姿勢に保持した基板の上面に液膜を形成する液膜形成工程と、
前記液膜に対し該液膜を構成する液体の凝固点よりも低温の凍結ガスを供給して前記液膜を凍結させる凍結工程と、
前記液膜が凍結してなる凝固体の温度を、前記凍結ガスよりも冷却能力の高い冷却用流体によって低下させる冷却工程と、
前記基板から前記凝固体を除去する除去工程と
を備えることを特徴とする基板処理方法。
【請求項２】
前記冷却工程では、前記冷却用流体を前記凝固体に供給する請求項１に記載の基板処理方法。
【請求項３】
前記冷却工程では、前記冷却用流体を前記基板の下面に供給する請求項１に記載の基板処理方法。
【請求項４】
前記冷却工程では、前記凍結ガスよりも低温の流体を前記冷却用流体とする請求項１ないし３のいずれかに記載の基板処理方法。
【請求項５】
前記冷却工程では、前記凍結ガス以下の温度で前記凍結ガスよりも大流量のガスを前記冷却用流体とする請求項１ないし３のいずれかに記載の基板処理方法。
【請求項６】
前記液膜を構成する液体が水であり、前記冷却工程では前記凝固体を摂氏マイナス３度以下に冷却する請求項１ないし５のいずれかに記載の基板処理方法。
【請求項７】
基板を水平状態に保持する基板保持手段と、
前記基板に液体を供給して前記基板の上面に液膜を形成する液膜形成手段と、
前記液膜に対し該液膜を構成する液体の凝固点よりも低温の凍結ガスを供給して、前記液膜を凍結させる凍結ガス供給手段と、
前記基板に対し前記凍結ガスよりも冷却能力の高い冷却用流体を供給して、前記液膜が凍結してなる凝固体の温度を低下させる冷却用流体供給手段と
を備えることを特徴とする基板処理装置。
【請求項８】
前記凍結ガス供給手段は、前記基板の上面に対し局部的に前記凍結ガスを吐出する吐出部と、前記吐出部を前記基板の上面に対して相対移動させる移動部とを有する請求項７に記載の基板処理装置。
【請求項９】
前記冷却用流体供給手段は、前記基板の上面に対し局部的に前記冷却用流体を吐出する第２吐出部と、前記第２吐出部を前記基板の上面に対して相対移動させる第２移動部とを有する請求項７または８に記載の基板処理装置。
【請求項１０】
前記冷却用流体供給手段は、前記基板の下面に対し前記冷却用流体を供給する下面吐出部を備える請求項７または８に記載の基板処理装置。
【請求項１１】
基板を水平状態に保持する基板保持手段と、
前記基板に液体を供給して前記基板の上面に液膜を形成する液膜形成手段と、
前記液膜を構成する液体の凝固点よりも低温の凍結ガスと、前記凍結ガスよりも冷却能力の高い冷却用流体とを選択的に前記基板に供給する供給手段と、
前記基板の上面に形成された液膜に対し前記供給手段から前記凍結ガスを供給させて前記液膜を凍結させた後、前記液膜が凍結してなる凝固体に対し前記供給手段から前記冷却用流体を供給させる制御手段と
を備えることを特徴とする基板処理装置。
【請求項１２】
前記冷却用流体は、前記凍結ガスよりも低温である請求項７ないし１１のいずれかに記載の基板処理装置。
【請求項１３】
前記冷却用流体は、前記凍結ガス以下の温度で前記凍結ガスよりも大流量のガスである請求項７ないし９および１１のいずれかに記載の基板処理装置。
【請求項１４】
前記基板保持手段は、前記基板を水平状態に保持しながら鉛直軸回りに回転させる請求項７ないし１３のいずれかに記載の基板処理装置。
【発明の詳細な説明】
【技術分野】
【０００１】
この発明は、半導体ウエハ、フォトマスク用ガラス基板、液晶表示用ガラス基板、プラズマ表示用ガラス基板、光ディスク用基板などの各種基板表面に付着したパーティクル等の汚染物質を除去するための基板処理方法および基板処理装置に関するものである。
【背景技術】
【０００２】
従来より、基板表面に付着したパーティクル等の汚染物質を除去するための処理の１つとして凍結洗浄技術が知られている。この技術では、基板表面に形成した液膜を凍結させ、この凍結膜を除去することにより基板表面からパーティクル等を凍結膜とともに除去している。例えば、特許文献１に記載の技術においては、洗浄液としてのＤＩＷ（脱イオン水）を基板表面に供給して液膜を形成した後、冷却ガスを吐出するノズルを基板表面近傍でスキャンさせることにより液膜を凍結させ、再度ＤＩＷを供給して凍結膜を除去することによって、基板表面からのパーティクルの除去を行っている。
【先行技術文献】
【特許文献】
【０００３】
【特許文献１】特開２００８−０７１８７５号公報（図５）
【発明の概要】
【発明が解決しようとする課題】
【０００４】
本願発明者らは、種々の実験の結果、凍結膜の温度とパーティクル除去率との間に一定の相関性があることを見出した。具体的には、単に液膜を凍結させるだけでなく、凍結膜の温度をさらに低下させることによってパーティクル除去率をより向上させることが可能である。上記した従来技術の凍結洗浄技術は、凍結膜の温度を十分に低下させるためには冷却ガスのスキャンを何度も繰り返す必要があり、処理時間が長くなったりガスの使用量が多くなるなどの問題があり、この点においてさらなる改良の余地が残されていた。
【０００５】
この発明は上記課題に鑑みなされたものであり、基板表面に付着したパーティクル等の汚染物質を除去するための基板処理方法および基板処理装置において、高いスループットを得られ、しかもパーティクル等を効果的に除去することのできる技術を提供することを目的とする。
【課題を解決するための手段】
【０００６】
この発明にかかる基板洗浄方法は、上記目的を達成するため、略水平姿勢に保持した基板の上面に液膜を形成する液膜形成工程と、前記液膜に対し該液膜を構成する液体の凝固点よりも低温の凍結ガスを供給して前記液膜を凍結させる凍結工程と、前記液膜が凍結してなる凝固体の温度を、前記凍結ガスよりも冷却能力の高い冷却用流体によって低下させる冷却工程と、前記基板から前記凝固体を除去する除去工程とを備えることを特徴としている。
【０００７】
このように構成された発明では、基板上面に形成した液膜を凍結させ、液膜が凍結してなる凝固体を基板から除去することによって、パーティクル等に対する優れた除去効果を得ることができる。ここで、基板上面の液膜を凍結ガスによって凍結させた後、より冷却能力の高い冷却用流体によって液膜が凍結してなる凝固体を冷却する。このように液膜の凍結およびさらなる冷却を二段階で行うことにより、次のような効果が得られる。
【０００８】
第１に、処理時間の短縮および凍結ガスの使用量の削減を図ることができる。液膜の凍結後にも凍結ガスを基板に供給し続けることによっても凝固体の温度は低下するが、凍結ガスの冷却能力、つまり単位時間当たりに液膜から奪う熱量をあまり高くすることはできない。というのは、凍結ガスは基板上面に形成された液膜に対して供給されるものであり、液膜に溶解して基板を汚染するおそれのない物質である必要があり、また凍結前の液膜を吹き飛ばして基板を露出させることがないように、その流量を抑える必要があるからである。このため、凍結ガスを供給し続けることで凝固体を冷却するには時間がかかり、また凍結ガスの消費量も多くなってしまう。この発明では、液膜の凍結後、より冷却能力の高い冷却用流体によって凝固体を冷却するので、より短時間で凝固体を冷却することができ、凍結ガスの使用量も少なくて済む。
【０００９】
第２に、液膜を凍結させるための処理条件と、液膜が凍結してなる凝固体を冷却するための処理条件とを個別に最適化することができる。すなわち、液膜が凍結するまでに求められる処理条件と液膜の凍結後に求められる処理条件とは異なっている。例えば、液膜を凍結させる凍結ガスについては、上記したように液膜を吹き飛ばさないこと、液膜に溶解して基板を汚染する成分を含まないことが必要とされる。一方、液膜の凍結後はそのような制約はないがより短時間で凝固体を冷却することが求められる。単一の処理態様でこれらを両立させることは困難である。そこで、液膜を凍結させる工程と凍結した凝固体をさらに冷却する工程とを分けることで、それぞれにおける処理条件を個別に設定することができ、処理に要する時間やコストを目的に応じて最適化することができる。
【００１０】
このように、この発明によれば、液膜が凍結してなる凝固体の温度を短時間で所望の温度にまで冷却することができるので、高いスループットを得られ、しかもパーティクル等を基板表面から効果的に除去することができる。
【００１１】
ここで、凍結ガスよりも冷却能力の高い冷却用流体としては、例えば凍結ガスよりも低温の流体を用いることができる。この流体としては、気体、液体およびそれらの混合物のいずれであってもよい。凍結ガスと同一組成のものであってもよい。また、凍結ガスよりも冷却能力の高い冷却用流体の他の態様としては、例えば凍結ガス以下の温度で凍結ガスよりも大流量のガスを用いることができる。大流量のガスを冷却用流体として供給することによって、短時間で凝固体を所望の温度に到達させることができる。これらの場合において、冷却用流体は基板上面の凝固体に対して供給されてもよく、また凝固体が形成される面とは反対側の基板の下面に対して供給され基板を介して凝固体を冷却するものであってもよい。
【００１２】
また、液膜を構成する液体が水である場合には、冷却工程では凝固体を摂氏マイナス３度以下に冷却することが望ましい。本願発明者らの知見では、液膜が水である場合、摂氏マイナス３度以下まで冷却したときにパーティクル等の除去効率が大きく向上することが判っている。これは、水が凍結してなる氷においてはその結晶構造が摂氏マイナス３度前後で変化することに起因するものと考えられる。
【００１３】
また、この発明にかかる基板洗浄装置は、上記目的を達成するため、基板を水平状態に保持する基板保持手段と、前記基板に液体を供給して前記基板の上面に液膜を形成する液膜形成手段と、前記液膜に対し該液膜を構成する液体の凝固点よりも低温の凍結ガスを供給して、前記液膜を凍結させる凍結ガス供給手段と、前記基板に対し前記凍結ガスよりも冷却能力の高い冷却用流体を供給して、前記液膜が凍結してなる凝固体の温度を低下させる冷却用流体供給手段とを備えることを特徴としている。
【００１４】
このように構成された発明では、上記した基板処理方法の発明と同様に、基板上面に形成した液膜を凍結してなる凝固体の温度を短時間で所望の温度にまで冷却することにより、高いスループットで、しかも優れた除去効率で、パーティクル等を基板表面から除去することができる。
【００１５】
ここで、凍結ガス供給手段は、例えば基板の上面に対し局部的に凍結ガスを吐出する吐出部と、該吐出部を基板の上面に対して相対移動させる移動部とを有する構成としてもよい。こうすることで、基板上の必要な場所にのみ凍結ガスを供給することができ、ガスの使用量を抑えることができる。また、冷却用流体供給手段についても同様である。すなわち、冷却用流体供給手段は、例えば基板の上面に対し局部的に冷却用流体を吐出する第２吐出部と、第２吐出部を基板の上面に対して相対移動させる第２移動部とを有する構成としてもよい。こうすることで、基板上の必要な場所にのみ冷却用流体を供給することができる。
【００１６】
また、例えば、冷却用流体供給手段は、基板の下面に対し冷却用流体を供給する下面吐出部を備えるようにしてもよい。こうすることで、基板の下面に冷却用流体を供給することで、基板を介して凝固体を冷却することができる。
【００１７】
また、この発明にかかる基板洗浄装置の他の態様は、上記目的を達成するため、基板を水平状態に保持する基板保持手段と、前記基板に液体を供給して前記基板の上面に液膜を形成する液膜形成手段と、前記液膜を構成する液体の凝固点よりも低温の凍結ガスと、前記凍結ガスよりも冷却能力の高い冷却用流体とを選択的に前記基板に供給する供給手段と、前記基板の上面に形成された液膜に対し前記供給手段から前記凍結ガスを供給させて前記液膜を凍結させた後、前記液膜が凍結してなる凝固体に対し前記供給手段から前記冷却用流体を供給させる制御手段とを備えることを特徴としている。
【００１８】
このように構成された発明では、上記した各発明と同様に、液膜が凍結した後の凝固体を短時間で所望の温度まで冷却することができるので、高いスループットで、しかも優れた除去効率でパーティクル等を基板表面から除去することができる。
【００１９】
これらの発明においては、上記した基板処理方法と同様に、冷却用流体として凍結ガスよりも低温の流体、または凍結ガス以下の温度で凍結ガスよりも大流量のガスを用いることができる。
【００２０】
この発明にかかる基板処理装置において、基板保持手段は、基板を水平状態に保持しながら鉛直軸回りに回転させるようにしてもよい。こうすることで、基板および基板上に形成された液膜に対して冷却用流体等の流体を遠心力によって均等に行き渡らせることが容易となり、基板面内において均一な処理を施すことが可能となる。
【発明の効果】
【００２１】
この発明によれば、基板上面に形成した液膜を凍結ガスによって凍結させた後、より冷却能力の高い流体によって液膜が凍結してなる凝固体を冷却するので、高いスループットで、しかも高い洗浄効果で基板表面に付着したパーティクル等を除去することができる。
【図面の簡単な説明】
【００２２】
【図１】この発明にかかる基板処理装置の一実施形態を示す図である。
【図２】図１の基板処理装置の制御構成を示すブロック図である。
【図３】この実施形態における凍結洗浄処理の概念を示す図である。
【図４】凍結洗浄処理の第１の態様を示すフローチャートである。
【図５】図４の処理における動作を模式的に示す図である。
【図６】凍結洗浄処理の第２の態様を示すフローチャートである。
【図７】図６の処理における動作を模式的に示す図である。
【図８】凍結洗浄の２つの態様における使用流体の例を示す図である。
【発明を実施するための形態】
【００２３】
図１はこの発明にかかる基板処理装置の一実施形態を示す図である。また、図２は図１の基板処理装置の制御構成を示すブロック図である。この基板処理装置は半導体ウエハ等の基板Ｗの表面Ｗｆに付着しているパーティクル等の汚染物質を除去するための基板洗浄処理を実行可能な枚葉式の基板洗浄装置としての基板処理装置である。
【００２４】
この基板処理装置は、基板Ｗに対して洗浄処理を施す処理空間をその内部に有する処理チャンバー１を備え、処理チャンバー１内に基板表面Ｗｆを上方に向けた状態で基板Ｗを略水平姿勢に保持して回転させるスピンチャック２と、スピンチャック２に保持された基板Ｗの表面Ｗｆに向けて液膜を凍結させるための凍結ガスを吐出する凍結用ノズル３ａと、こうして基板Ｗの表面に形成された液膜の凝固体をさらに低温にまで冷却するための冷却用流体を吐出する冷却用ノズル３ｂと、基板表面Ｗｆに処理液の液滴を供給する二流体ノズル５と、スピンチャック２に保持された基板Ｗの表面Ｗｆに向けて薬液を吐出する薬液吐出ノズル６と、スピンチャック２に保持された基板Ｗの表面Ｗｆに対向配置された遮断部材９が設けられている。処理液としては、薬液または純水やＤＩＷ（deionized water；脱イオン水）等の洗浄液などが用いられる。
【００２５】
スピンチャック２は、回転支軸２１がモータを含むチャック回転機構２２の回転軸に連結されており、チャック回転機構２２の駆動により回転中心Ａ０を中心に回転可能となっている。回転支軸２１の上端部には、円盤状のスピンベース２３が一体的にネジなどの締結部品によって連結されている。したがって、装置全体を制御する制御ユニット４（図２）からの動作指令に応じてチャック回転機構２２を駆動させることによりスピンベース２３が回転中心Ａ０を中心に回転する。
【００２６】
スピンベース２３の周縁部付近には、基板Ｗの周縁部を把持するための複数個のチャックピン２４が立設されている。チャックピン２４は、円形の基板Ｗを確実に保持するために３個以上設けてあればよく、スピンベース２３の周縁部に沿って等角度間隔で配置されている。チャックピン２４のそれぞれは、基板Ｗの周縁部を下方から支持する基板支持部と、基板支持部に支持された基板Ｗの外周端面を押圧して基板Ｗを保持する基板保持部とを備えている。各チャックピン２４は、基板保持部が基板Ｗの外周端面を押圧する押圧状態と、基板保持部が基板Ｗの外周端面から離れる解放状態との間を切り替え可能に構成されている。
【００２７】
そして、スピンベース２３に対して基板Ｗが受渡しされる際には、複数個のチャックピン２４を解放状態とし、基板Ｗに対して洗浄処理を行う際には、複数個のチャックピン２４を押圧状態とする。押圧状態とすることによって、複数個のチャックピン２４は基板Ｗの周縁部を把持してその基板Ｗをスピンベース２３から所定間隔を隔てて略水平姿勢に保持することができる。これにより、基板Ｗはその表面（パターン形成面）Ｗｆを上方に向け、裏面Ｗｂを下方に向けた状態で保持される。
【００２８】
スピンチャック２の外方には、第１の回動モータ３１が設けられている。第１の回動モータ３１には、第１の回動軸３３が接続されている。また、第１の回動軸３３には、第１のアーム３５が水平方向に延びるように連結され、第１のアーム３５の先端に凍結用ノズル３ａが取り付けられている。そして、制御ユニット４からの動作指令に応じて第１の回動モータ３１が駆動されることで、第１のアーム３５を第１の回動軸３３回りに揺動させることができる。
【００２９】
凍結用ノズル３ａはガス供給部６４（図２）と接続されており、制御ユニット４からの動作指令に応じてガス供給部６４から凍結ガスが凍結用ノズル３ａに供給される。より具体的には、ガス供給部６４に設けられた窒素ガス貯留部６４１から供給される窒素ガスが熱交換器６４２によりＤＩＷの凝固点よりも低い温度まで冷やされ、こうして冷やされた窒素ガスが凍結ガスとして凍結用ノズル３ａに供給される。凍結用ノズル３ａが基板表面Ｗｆに対向配置されると、凍結用ノズル３ａから基板表面Ｗｆに向けて局部的に凍結ガスが吐出される。凍結用ノズル３ａから凍結ガスを吐出させた状態で、制御ユニット４が基板Ｗを回転させながら該凍結用ノズル３ａを基板の回転中心から外周部に向けて移動させることで、凍結ガスを基板表面Ｗｆの全面にわたって供給できる。このとき、後述するように基板表面ＷｆにＤＩＷによる液膜が予め形成されていると、該液膜の全体を凍結させて基板表面Ｗｆの全面にＤＩＷの凍結膜を生成可能となっている。
【００３０】
また、スピンチャック２の外方には、さらに第２の回動モータ３６が設けられている。第２の回動モータ３６には、第２の回動軸３７が接続されている。また、第２の回動軸３７には、第２のアーム３８が水平方向に延びるように連結され、第２のアーム３８の先端に冷却用ノズル３ｂが取り付けられている。制御ユニット４からの動作指令に応じて第２の回動モータ３６が駆動されることで、第２のアーム３８を第２の回動軸３７回りに揺動させることができる。
【００３１】
そして、ガス供給部６４に設けられた窒素ガス貯留部６４１から供給される窒素ガスが熱交換器６４３により前述の凍結用ガスよりも低い温度まで冷やされ、こうして冷やされた窒素ガスが冷却ガスとして冷却用ノズル３ｂに供給される。冷却用ノズル３ｂが基板表面Ｗｆに対向配置されると、冷却用ノズル３ｂから基板表面Ｗｆに向けて局部的に冷却ガスが吐出される。冷却用ノズル３ｂから冷却ガスを吐出させた状態で、制御ユニット４が基板Ｗを回転させながら該冷却用ノズル３ｂを基板の回転中心から外周部に向けて移動させることで、冷却ガスを基板表面Ｗｆの全面にわたって供給できる。これにより、基板表面Ｗｆの液膜が凍結してなる凝固体はさらなる低温にまで冷却される。
【００３２】
また、スピンチャック２の外方に第３の回動モータ５１が設けられている。第３の回動モータ５１には、第３の回動軸５３が接続され、第３の回動軸５３には、第３のアーム５５が連結されている。また、第３のアーム５５の先端に二流体ノズル５が取り付けられている。そして、制御ユニット４からの動作指令に応じて第３の回動モータ５１が駆動されることで、二流体ノズル５を第３の回動軸５３回りに揺動させることができる。この二流体ノズルは、処理液としてのＤＩＷと窒素ガスとを空中（ノズル外部）で衝突させてＤＩＷの液滴を生成する、いわゆる外部混合型の二流体ノズルである。
【００３３】
また、スピンチャック２の外方には、第４の回動モータ６７が設けられている。第４の回動モータ６７には、第４の回動軸６８が接続されている。また、第４の回動軸６８には、第４のアーム６９が水平方向に延びるように連結され、第４のアーム６９の先端に薬液吐出ノズル６が取り付けられている。そして、制御ユニット４からの動作指令に応じて第４の回動モータ６７が駆動されることで、薬液吐出ノズル６を基板Ｗの回転中心Ａ０の上方の吐出位置と吐出位置から側方に退避した待機位置との間で往復移動させることができる。薬液吐出ノズル６は薬液供給部６１と接続されており、制御ユニット４からの動作指令に応じてＳＣ１溶液（アンモニア水と過酸化水素水との混合水溶液）等の薬液が薬液吐出ノズル６に圧送される。
【００３４】
なお、凍結用ノズル３ａ、二流体ノズル５および薬液吐出ノズル６ならびにこれらに付随するアームやその回動機構としては、例えば前記した特許文献１（特開２００８−０７１８７５号公報）に記載されたものと同一構造のものを用いることができる。また、冷却用ノズル３ｂの構造は凍結用ノズル３ａの構造と基本的に同じである。そこで、本明細書ではこれらの構成についてのより詳しい説明は省略する。
【００３５】
スピンチャック２の上方には、中心部に開口を有する円盤状の遮断部材９が設けられている。遮断部材９は、その下面（底面）が基板表面Ｗｆと略平行に対向する基板対向面となっており、その平面サイズは基板Ｗの直径と同等以上の大きさに形成されている。遮断部材９は略円筒形状を有する支持軸９１の下端部に略水平に取り付けられ、支持軸９１は水平方向に延びるアーム９２により基板Ｗの中心を通る鉛直軸回りに回転可能に保持されている。また、アーム９２には、遮断部材回転機構９３と遮断部材昇降機構９４が接続されている。
【００３６】
遮断部材回転機構９３は、制御ユニット４からの動作指令に応じて支持軸９１を基板Ｗの中心を通る鉛直軸回りに回転させる。また、遮断部材回転機構９３は、スピンチャック２に保持された基板Ｗの回転に応じて基板Ｗと同じ回転方向でかつ略同じ回転速度で遮断部材９を回転させるように構成されている。
【００３７】
また、遮断部材昇降機構９４は、制御ユニット４からの動作指令に応じて、遮断部材９をスピンベース２３に近接して対向させたり、逆に離間させることが可能となっている。具体的には、制御ユニット４は遮断部材昇降機構９４を作動させることで、基板処理装置に対して基板Ｗを搬入出させる際には、スピンチャック２の上方の離間位置（図１に示す位置）に遮断部材９を上昇させる。その一方で、基板Ｗに対して所定の処理を施す際には、スピンチャック２に保持された基板Ｗの表面Ｗｆのごく近傍に設定された対向位置まで遮断部材９を下降させる。
【００３８】
支持軸９１は中空に仕上げられ、その内部に遮断部材９の開口に連通したガス供給路９５が挿通されている。ガス供給路９５は、ガス供給部６４と接続されており、窒素ガス貯留部６４１から熱交換器を通さずに供給される窒素ガスが乾燥ガスとして供給される。この実施形態では、基板Ｗに対する洗浄処理後の乾燥処理時に、ガス供給路９５から遮断部材９と基板表面Ｗｆとの間に形成される空間に窒素ガスを供給する。また、ガス供給路９５の内部には、遮断部材９の開口に連通した液供給管９６が挿通されており、液供給管９６の下端にノズル９７が結合されている。液供給管９６には適宜の処理液が通送されて、基板Ｗの裏面Ｗｂに処理液を供給する。
【００３９】
ＤＩＷ供給部６２はＤＩＷ貯留部６２１および熱交換器６２２を有しており、熱交換器６２２はＤＩＷ貯留部６２１から供給されるＤＩＷをその凝固点近傍温度まで冷却する。すなわち、ＤＩＷ供給部６２はＤＩＷ貯留部６２１から供給される常温のＤＩＷ、または熱交換器６２２により凝固点近傍温度まで冷却された低温のＤＩＷを供給可能となっている。
【００４０】
スピンチャック２の回転支軸２１は中空軸からなる。回転支軸２１の内部には、基板Ｗの裏面Ｗｂに処理液を供給するための処理液供給管２５が挿通されている。そして、回転支軸２１の内壁面と処理液供給管２５の外壁面の隙間は、円筒状のガス供給路２９を形成している。処理液供給管２５およびガス供給路２９は、スピンチャック２に保持された基板Ｗの下面（裏面Ｗｂ）に近接する位置まで延びており、その先端には基板Ｗの下面中央部に向けて処理液およびガスを吐出する下面ノズル２７が設けられている。
【００４１】
処理液供給管２５は薬液供給部６１およびＤＩＷ供給部６２と接続されており、薬液供給部６１から供給されるＳＣ１溶液等の薬液またはＤＩＷ供給部６２から供給されるＤＩＷなどの各種の液体が選択的に供給される。一方、ガス供給路２９はガス供給部６４と接続されており、スピンベース２３と基板裏面Ｗｂとの間に形成される空間にガス供給部６４からの窒素ガスを供給することができる。
【００４２】
上記のように構成された基板処理装置では、処理チャンバー１内に搬入された基板Ｗがスピンチャック２によって保持され、必要に応じて所定の薬液処理が実行される。また、基板Ｗに対して、その表面Ｗｆに液膜を形成してこれを凍結させた後、凍結膜とともに付着物を除去する凍結洗浄処理が行われる。上記構成の装置における凍結洗浄処理の基本的な動作については特許文献１（特開２００８−０７１８７５号公報）に記載されているので詳しい説明は省略し、ここでは本実施形態における凍結洗浄処理と特許文献１に記載の処理との相違点について主に説明する。
【００４３】
図３はこの実施形態における凍結洗浄処理の概念を示す図である。より具体的には、図３（ａ）は液膜温度とパーティクル除去効率との関係を示す図であり、図３（ｂ）は処理過程における液膜温度の変化の態様を示す図である。なお、ここでは、凍結前の液膜の温度および該液膜が凍結してなる凝固体の温度を総称して「液膜温度」と称している。従来の凍結洗浄技術では液膜を凍結させているものの、凍結後の液膜温度についてはあまり考慮されていなかった。しかしながら、ＤＩＷによる液膜を用いた本願発明者らの実験によれば、図３（ａ）に示すように、単に液膜を凍結させるだけではなく、凍結後の液膜の到達温度が低くなるほどパーティクル除去効率が高まることが明らかとなった。このような傾向は特に、液膜温度が約マイナス３℃以下のときに顕著であった。これは、約マイナス３℃を境にして、氷の結晶構造が変化するためと考えられる。
【００４４】
そこで、この実施形態では、凍結ガスによって基板上のＤＩＷ液膜を凍結させた後、液膜が凍結してなる凝固体をさらに冷却することで、洗浄効果を高めている。以下、その具体的な方法について説明する。
【００４５】
凍結洗浄処理の過程においては、図３（ｂ）に示すように、液膜を形成された基板に凍結ガスを供給開始すると、液膜温度は次第に低下し始める。そして、液膜温度が０℃に達すると液膜の凍結が始まり、液膜全体が凍結するまでは液膜温度はほぼ０℃に保たれる。液膜全体が凍結した後も凍結ガスの供給を続ければ、液膜温度はさらに低下するが、符号Ａを付した破線で示すように、凍結ガスによる液膜温度の低下は比較的緩やかである。というのは、凍結ガスは未凍結の液膜に対して供給されるものであるため、液膜を吹き飛ばしたり基板表面を露出させることがないように流量を抑える必要があり、結果として冷却能力が制限されてしまうからである。また、凍結ガスのガス種として、液膜に溶け込んで基板を汚染することのないものを選定する必要があり、その自由度は高くない。これらのことに起因して、凍結ガスの供給を継続することによる基板のさらなる冷却は、凍結した液膜が所望の温度まで冷却されるのには時間がかかり、また凍結ガスの消費量も多くなってしまうという問題を含んでいる。
【００４６】
ここで、液膜全体が凍結した後においては、液膜が吹き飛ばされるおそれも少なく、また基板表面が液膜が凍結してなる凝固体で覆われて汚染されにくくなっているため、上記のような制約は少なくなっている。このことから、液膜が完全に凍結した後においてはより冷却能力の高い流体を用いることで、図３（ｂ）に符号Ｂで示すように、より短時間で液膜温度を低下させることが可能となる。図１に示す基板処理装置を以下のように動作させることにより、このような目的を達成することが可能である。
【００４７】
図４はこの実施形態における凍結洗浄処理の第１の態様を示すフローチャートである。また、図５は図４の処理における動作を模式的に示す図である。この装置では、未処理の基板Ｗが装置内に搬入されると、制御ユニット４が装置各部を制御して該基板Ｗに対して一連の洗浄処理が実行される。ここでは、予め基板Ｗが表面Ｗｆを上方に向けた状態で基板Ｗが処理チャンバー１内に搬入されてスピンチャック２に保持され、遮断部材９がその下面を基板上面に近接対向配置されているものとする。
【００４８】
制御ユニット４はチャック回転機構２２を駆動させてスピンチャック２を回転させるとともに、ノズル９７から常温のＤＩＷを基板表面Ｗｆに供給する。基板表面に供給されたＤＩＷには、基板Ｗの回転に伴う遠心力が作用し、基板Ｗの径方向外向きに均一に広げられ、その一部が基板外に振り切られる。これによって、基板表面Ｗｆの全面にわたって液膜の厚みを均一にコントロールして、基板表面Ｗｆの全体に所定の厚みを有する液膜（水膜）が形成される（ステップＳ１０１）。なお、液膜形成に際して、上記のように基板表面Ｗｆに供給されたＤＩＷの一部を振り切ることは必須の要件ではない。例えば、基板Ｗの回転を停止させた状態あるいは基板Ｗを比較的低速で回転させた状態で基板ＷからＤＩＷを振り切ることなく基板表面Ｗｆに液膜を形成してもよい。
【００４９】
この状態では、図５（ａ）に示すように、基板Ｗの表面Ｗｆに所定厚さのパドル状液膜ＬＰが形成されている。こうして、液膜形成が終了すると、制御ユニット４は遮断部材９を離間位置に退避させる。ここで、パドル状の液膜ＬＰは、例えば薬液吐出ノズル６から供給されるＳＣ１液によって形成されてもよい。
【００５０】
続いて、凍結用ノズル３ａを待機位置から基板の回転中心の上方に移動させる（ステップＳ１０２）。そして、図５（ｂ）に示すように、回転する基板Ｗの表面Ｗｆに向けて凍結用ノズル３ａから凍結ガスを吐出させながら、凍結用ノズル３ａを徐々に基板Ｗの端縁位置に向けて移動させていく（ステップＳ１０３）。これにより、基板表面Ｗｆの表面領域に形成された液膜ＬＰが冷やされて部分的に凍結し、図５（ｃ）に示すように、凍結した領域（凍結領域ＦＲ）が基板表面Ｗｆの中央部に形成される。そして、方向Ｄn1へのノズル３ａのスキャンによって凍結領域ＦＲは基板表面Ｗｆの中央部から周縁部へと広げられ、図５（ｄ）に示すように、最終的には基板表面Ｗｆの液膜全面が凍結する。液膜全体が凍結すると、凍結用ノズル３ａを退避させるとともに、代わって冷却用ノズル３ｂを基板の回転中心の上方に移動させる（ステップＳ１０４）。そして、図５（ｅ）に示すように、冷却用ノズル３ｂから凍結ガスよりも低温の冷却ガスを吐出しながらノズル３ｂを基板上で方向Ｄn2にスキャンさせることにより（ステップＳ１０５）、凍結した液膜ＬＰを所定の温度までさらに冷却する。
【００５１】
ここで、凍結ガスとしては、例えば−１５０℃、５０Ｌ／ｍｉｎの窒素ガスを用いることができる。また、冷却ガスとしては、例えば−１７０℃、１００Ｌ／ｍｉｎの窒素ガスを用いることができる。また、凍結後の液膜の目標到達温度としては、例えば−３０℃とすることができる。冷却ガスのスキャンが終了すると、遮断部材９を再び基板表面Ｗｆに近接配置し（ステップＳ１０６）、さらに遮断部材９に設けられたノズル９７から基板表面Ｗｆの凍結した液膜に向けて常温のＤＩＷを供給してリンス処理を行う（ステップＳ１０７）。
【００５２】
ここまでの処理が実行された時点では、基板Ｗが遮断部材９とスピンベース２３との間に挟まれながら回転する状態で、基板Ｗの表面にＤＩＷが供給されている。ここで、基板表面Ｗｆに常温のＤＩＷを供給するのに代えて、二流体ノズル５からＤＩＷの液滴を供給するようにしてもよい。続いて基板へのＤＩＷの供給を停止し、基板を高速回転により乾燥させるスピン乾燥処理を行う（ステップＳ１０８）。すなわち、遮断部材９に設けられたノズル９７およびスピンベース２３に設けられた下面ノズル２７から窒素ガスを吐出させながら基板Ｗを高速度で回転させることにより、基板Ｗに残留するＤＩＷを振り切り基板Ｗを乾燥させる。このときに供給される窒素ガスは乾燥ガスとしての作用をするものであり、熱交換器を通さない常温のガスである。こうして乾燥処理が終了すると、処理済みの基板Ｗを搬出することによって１枚の基板に対する処理が完了する。
【００５３】
上記処理によって得られる洗浄効果について説明する。上記のようにして液膜を凍結させると、基板表面Ｗｆとパーティクルの間に入り込んだ液膜の体積が増加（摂氏０℃の水が摂氏０℃の氷になると、その体積はおよそ１．１倍に増加する）し、パーティクルが微小距離だけ基板表面Ｗｆから離れる。その結果、基板表面Ｗｆとパーティクルとの間の付着力が低減され、さらにはパーティクルが基板表面Ｗｆから脱離することとなる。このとき、基板表面Ｗｆに微細パターンが形成されている場合であっても、液膜の体積膨張によってパターンに加わる圧力はあらゆる方向に等しく、つまりパターンに加えられる力が相殺される。そのため、パターンの剥離や倒壊を防止しながら、パーティクルのみを基板表面Ｗｆから剥離させることができる。そして、新たに供給するＤＩＷによって凍結した液膜を除去することにより、パーティクル等についても基板表面Ｗｆから取り除くことができる。また、前記したように、凍結後の液膜の到達温度をさらに低くすることによってパーティクルの除去効率を高めることができる。
【００５４】
なお、ここでは冷却ガスを凍結ガスと同じ窒素ガスとする一方、そのガス温度を凍結ガスよりも低温とすることによって、凍結ガスよりも冷却能力の高い、つまり単位時間当たりに液膜から奪う熱量の大きい冷却ガスを得ている。これに代えて、冷却ガスの流量を凍結ガスよりも大きくすることによって、冷却ガスの冷却能力を高めるようにしてもよい。前記したように、凍結ガスの流量については基板上の液膜を吹き飛ばさない程度に抑えることが必要であるが、冷却ガスについてはこのような問題がないのでより流量を多くすることが可能であり、これにより冷却能力を高めることができる。
【００５５】
また、液膜の凍結後においては基板表面Ｗｆが凍結した液膜によって覆われており、また凍結した液膜に対しては不純物等が混入するおそれが少ないので、冷却ガスの代わりに低温の液体を液膜に供給するようにしてもよい。すなわち、凍結した液膜をさらに冷却するための冷却用流体はガスに限定されない。例えば液体窒素を直接液膜に供給して液膜を冷却するように構成してもよい。こうすることで、ガスよりもさらに高い冷却能力を得られるので、より短時間で液膜の温度を下げることができる。
【００５６】
また、この実施形態では、凍結ガスを吐出する凍結用ノズル３ａと冷却ガスを吐出する冷却用ノズル３ｂとを個別に設けているが、例えば制御ユニット４からの制御指令によって１つのノズル（例えば凍結用ノズル３ａ）から吐出するガスの温度または流量を変更可能な構成として、凍結用ノズルの機能と冷却用ノズルの機能とを１つのノズルに兼ねさせるようにしてもよい。
【００５７】
より具体的な２つの例を挙げて説明する。ここでは、凍結用ノズルの機能と冷却用ノズルの機能とをいずれも凍結用ノズル３ａによって実現する場合を考える。この場合、図１の構成のうち冷却用ノズル３ｂおよびそれに付随する動作機構などの構成は省略することができる。
【００５８】
第１の例では、凍結用ノズル３ａに対して、ガス供給部６４の熱交換器６４２から供給される凍結ガスと、熱交換器６４３から供給されるより低温の冷却ガスとが図示しない切替バルブによって選択的に供給される。これにより、凍結用ノズル３ａは温度の異なる２種類の窒素ガス（凍結ガスおよび冷却ガス）を選択的に吐出可能とされる。凍結洗浄処理の基本的な流れは図４のフローチャートに示す通りであるが、ステップＳ１０４では、凍結用ノズル３ａが再び基板Ｗの上方に配置され、凍結用ノズル３ａからは熱交換器６４３より供給される冷却ガスが吐出される。こうして凍結用ノズル３ａが熱交換器６４３から供給される冷却ガスを吐出しながら基板Ｗ上をスキャンすることで、凍結した液膜ＬＰの温度をさらに低下させる。
【００５９】
第２の例では、ガスの流量を変えることで、同じ温度のガスを凍結ガス、冷却ガスとして使い分ける。この例ではガス供給部６４の熱交換器６４３を省くことができる一方、熱交換器６４２から凍結用ノズル３ａの吐出口に至るガス供給経路上に、ガスの流量を変化させることのできる流量調整機構（図示省略）が設けられる。この場合の凍結洗浄処理の基本的な流れも図４のフローチャートに示す通りであるが、ステップＳ１０３では比較的流量の少ないガスを凍結ガスとして基板Ｗに供給する一方、ステップＳ１０５では同じ温度のガスをより流量を多くすることで冷却能力を高め冷却ガスとする。
【００６０】
これら２つの例では、単一のノズルから吐出されるガスの温度または流量を変えることで凍結ガスと冷却ガスとを切り替えることができ、いずれの例でも上記実施形態と同様に、凍結した液膜を短時間で所望の温度まで冷却することができ、高いパーティクル除去効果を得ることができる。なお、ガスの温度と流量とを共に変化させてもよい。
【００６１】
図６はこの実施形態における凍結洗浄処理の第２の態様を示すフローチャートである。また、図７は図６の処理における動作を模式的に示す図である。この第２の態様では、第１の態様と同様にして基板Ｗ上に液膜ＬＰを形成し凍結させた後、基板Ｗの下方から裏面Ｗｂに低温の冷却用流体を供給し、基板Ｗを介して凍結した液膜を冷却する。したがって冷却用ノズル３ｂおよびこれに付随する構成を省略することができる。
【００６２】
この態様において、基板上に液膜を形成し（ステップＳ２０１、図７（ａ））、凍結用ノズル３ａを基板の回転中心からスキャンして液膜を凍結させるまでは（ステップＳ２０２，Ｓ２０３、図７（ｂ）および図７（ｃ））、上記した第１の態様と同じである。こうして液膜全体が凍結した後（図７（ｄ））、続いて図７（ｅ）に示すように、下面ノズル２７から低温の冷却用流体を吐出させて基板裏面Ｗｂに供給する（ステップＳ２０４）。これにより凍結した液膜が基板Ｗを介して冷却される。このとき、冷却用流体が基板裏面Ｗｂに沿って流れるように、ガス供給路２９には低温の窒素ガス（凍結ガスまたは冷却ガス）を通送しておくことが望ましい。その後、リンス処理およびスピン乾燥処理を行う点については（ステップＳ２０６，Ｓ２０７）、第１の態様と同じである。
【００６３】
図８は凍結洗浄の２つの態様における使用流体の例を示す図である。上記した本実施形態の２つの態様の凍結洗浄処理においては、基板Ｗの表面Ｗｆに形成された液膜ＬＰを凍結させるための凍結ガスと、凍結した液膜をさらに冷却するための冷却用流体を使用する。図８はこれらに使用可能な流体の例を示したものである。まず、液膜を凍結させるためには、液膜への混合を避けるためにガス状とする必要があり、図８に示すように、窒素ガス、酸素ガス、アルゴンガスおよび空気等を用いることができる。酸素ガスや空気は基板を酸化させる可能性があるが、このような用途では基板Ｗの上面が液膜で覆われているので使用可能である。これらが液中へ溶け込むのを抑制するためにも、液膜の温度をできるだけ低くしておくことが望ましい。
【００６４】
また、液膜の凍結後に用いる冷却用流体としてはガス、液体いずれも使用可能であり、該流体は基板の上面、下面のいずれに対して供給されてもよい。このようなガスとしては凍結ガスと同じものであってより低温またはより流量の大きいものを用いることができる。また、液体としては、液膜を構成する液体（本実施形態ではＤＩＷ）よりも十分に凝固点が低い各種の液体を用いることができ、例えば液体窒素、エチレングリコールやプロピレングリコールなどの多価アルコールを含む各種アルコール類、ヒドロフルオロエーテル（ＨＦＥ）類などを好適に使用することができる。
【００６５】
以上のように、この実施形態では、基板の上面に形成した液膜に低温のガスを供給して液膜を凍結させた後、より冷却能力の高い冷却用流体を供給することによって凝固した液膜の温度をさらに低下させる。そして、こうして冷却された液膜の凝固体をリンス液（ＤＩＷ）とともに除去することによって、この実施形態では、高いパーティクル除去効率で基板の洗浄を行うことができる。また、冷却能力の高い冷却用流体によって凍結した液膜を冷却することで液膜の温度を短時間で所定温度まで低下させることができ、処理時間を短縮して、高いスループットで処理を行うことができる。
【００６６】
以上説明したように、この実施形態においては、スピンチャック２が本発明の「基板保持手段」として機能しており、遮断部材９に設けられたノズル９７が本発明の「液膜形成手段」として機能している。また、この実施形態では、凍結用ノズル３ａおよびガス供給部６４が一体として本発明の「凍結ガス供給手段」として機能しており、凍結洗浄処理の第１の態様においては冷却用ノズル３ｂが「冷却用流体供給手段」として機能している。また、凍結用ノズル３ａおよび冷却用ノズル３ｂはそれぞれ本発明の「吐出部」および「第２吐出部」としての機能も有しており、これらをスキャンさせる回動モータ３１，３６がそれぞれ本発明の「移動部」および「第２移動部」として機能している。また、この実施形態の凍結洗浄処理の第２の態様においては、下面ノズル２７が本発明の「冷却用流体供給手段」および「下面吐出部」として機能している。
【００６７】
また、ガス供給部６４から送出され凍結用ノズル３ａから吐出される窒素ガスの温度または流量を制御ユニット４によって変更することで凍結用ガスと冷却用ガスとを単一のノズルから吐出するようにした構成においては、凍結用ノズル３ａおよびガス供給部６４が本発明の「供給手段」に相当し、制御ユニット４が本発明の「制御手段」に相当することになる。
【００６８】
なお、本発明は上記した実施形態に限定されるものではなく、その趣旨を逸脱しない限りにおいて上述したもの以外に種々の変更を行うことが可能である。例えば上記実施形態では、ＤＩＷによって本発明の「液膜」を形成しているが、液膜を構成する液体はこれに限定されない。例えば、炭酸水、水素水、希薄濃度（例えば１ｐｐｍ程度）のアンモニア水、希薄濃度の塩酸などを用いたり、ＤＩＷに少量の界面活性剤を加えたものを用いてもよい。
【００６９】
また、上記実施形態では、凍結ガスおよび冷却ガスとして同一の窒素ガス貯留部から供給されて互いに温度を異ならせた窒素ガスを用いているが、これらは窒素ガスに限定されない。例えば、凍結ガスと冷却ガスとを異なるガス種としてもよく、図８に記載されたものを適宜組み合わせてもよい。
【００７０】
また、上記実施形態の基板処理装置は、ＤＩＷ貯留部６２１および窒素ガス貯留部６４１をいずれも装置内部に内蔵しているが、処理液およびガスの供給源については装置の外部に設けられてもよく、例えば工場内に既設の処理液やガスの供給源を利用するようにしてもよい。また、これらを冷却するための既設設備がある場合には、該設備によって冷却された液体やガスを利用するようにしてもよい。
【００７１】
また、上記実施形態の基板処理装置は、基板Ｗの上方に近接配置される遮断部材９を有するものであるが、本発明は遮断部材を有しない装置にも適用可能である。また、この実施形態の装置は基板Ｗをその周縁部に当接するチャックピン２４によって保持するものであるが、基板の保持方法はこれに限定されるものではなく、他の方法で基板を保持する装置にも、本発明を適用することが可能である。
【産業上の利用可能性】
【００７２】
この発明は、半導体ウエハ、フォトマスク用ガラス基板、液晶表示用ガラス基板、プラズマ表示用ガラス基板、ＦＥＤ（Field Emission Display）用基板、光ディスク用基板、磁気ディスク用基板、光磁気ディスク用基板などを含む基板全般の表面に形成された液膜を凍結させる基板処理装置および基板処理方法に適用することができる。
【符号の説明】
【００７３】
２  スピンチャック（基板保持手段）
３ａ  凍結用ノズル（凍結ガス供給手段、吐出部、供給手段）
３ｂ  冷却用ノズル（冷却用流体供給手段、第２吐出部）
４  制御ユニット（制御手段）
３１  回動モータ（移動部）
３６  回動モータ（第２移動部）
２７  下面ノズル（冷却用流体供給手段、下面吐出部）
６４  ガス供給部（凍結ガス供給手段、供給手段）
９７  ノズル（液膜形成手段）
Ｗ…基板
Ｗｆ…基板表面（パターン形成面）
Ｗｂ…基板裏面
【図１】
2011198894.tif 000003
【図２】
2011198894.tif 000004
【図３】
2011198894.tif 000005
【図４】
2011198894.tif 000006
【図５】
2011198894.tif 000007
【図６】
2011198894.tif 000008
【図７】
2011198894.tif 000009
【図８】
2011198894.tif 000010